(57)【要約】【課題】  従来の家庭ゴミ出しは、たとえ行政が無料でゴミを回収しているとはいえ、多様化する現代社会で生活する人達にとって、決められた日、時間帯にゴミ出しが困難となる場合もあり、週に２回程度のゴミ回収では家の中に置くゴミの量が必然的に増えてしまうという問題があった。これは、一般社会の中にゴミ出しは無料という概念が根強くあるからで、ゴミが増え続ける原因の一つになっている。【解決手段】  蓋付きの開口部を設けた回転カバーの内側で、４枚の回転羽根と４ヵ所の中空体が同時に回転し、１ヵ所の前記中空体に投入したゴミ袋を回転と同時に自然落下させながら収納するように構成した。これにより、前記中空体に収まる小さなゴミ袋を有料で受け入れることから、ゴミにする量を減らそうという意識が強く働き、その結果不用品の分別化が促進され、最終的にゴミの減量化を実現する有料ゴミ受け入れ装置を提供できるとともに、安全性と利便性を高めることができる。【選択図】図１
2007217181.tif 000002
【特許請求の範囲】
【請求項１】
コイン投入口などの支払い確認システムと駆動モータを備えた台座と、その前記台座の上部に蓋付きの開口部を設けた回転カバーを設置し、前記回転カバーの内側は回転中核を介した４枚の回転羽根と前記回転羽根との間に構成する４ヵ所の中空体からなり、前記蓋にはロック機能とスイッチ機能を持たせ、所定のコイン投入後又は支払い確認後、前記蓋のロック機能が解除され手動で前記蓋を開け、前記蓋付きの開口部と一致する１ヵ所の前記中空体にゴミ袋を投入し、前記蓋を手動で閉めると前記蓋のロック機能は再び施錠され、同時に前記駆動モータに一定時間スイッチが入り、前記駆動モータの駆動力で前記回転中核を介して４枚の前記回転羽根は９０度回転し、同時に４ヵ所の前記中空体も９０度回転し、１ヵ所の前記中空体に投入したゴミ袋を回転と同時に自然落下させながら直接収納庫内に収納する、又はダストシューター等を通過させ収納するように形成した回転式２４時間有料ゴミ受け入れ装置。
【請求項２】
前記回転羽根においては、４枚の他に３枚又は２枚も可能であり、前記回転羽根が４枚の場合の前記回転羽根の関係は９０度の角度にあり、一連の作業に要する回転は９０度回転し、前記回転羽根が３枚の場合の前記回転羽根の関係は１２０度の角度にあり、一連の作業に要する回転は１２０度回転し、前記回転羽根が２枚の場合の前記回転羽根の関係は１８０度の角度にあり、一連の作業に要する回転は１８０度回転するように形成した請求項１記載の回転式２４時間有料ゴミ受け入れ装置。
【請求項３】
それぞれの前記回転羽根においては、凹面と凸面を有し、前記凹面と前記凸面の関係は表裏にあり、前記凹面は前記中空体にゴミ袋を投入する受け皿の役目を持ち、ゴミ袋の安定を保つように形成した請求項１記載の回転式２４時間有料ゴミ受け入れ装置。
【請求項４】
それぞれの前記回転羽根の形状においては、半円形又は四角形があり、半円形の前記回転羽根が回転する軌道は球体を描き、四角形の前記回転羽根が回転する軌道は横に倒した円筒体を描くことを特徴とする請求項１記載の回転式２４時間有料ゴミ受け入れ装置。
【請求項５】
それぞれの前記回転羽根との間に構成する前記中空体においては、前記回転羽根と９０度の角度に仕切り壁を任意に設置可能であり、状況に応じて前記仕切り壁を左右に移設することで、前記中空体に受け入れるゴミの容量を変化させることができる請求項１記載の回転式２４時間有料ゴミ受け入れ装置。
【発明の詳細な説明】
【技術分野】
【０００１】  本発明は、一般家庭ゴミを２４時間有料で受け入れる装置に関する。
【背景技術】
【０００２】  従来の家庭ゴミ出しは、一般的に行政が無料でゴミを回収している。又有料ゴミ出しにおいては、ゴミ搬入許可データ等を確認後始めてゴミ搬入口ドアーが開放されるものがあり、さらにゴミ出しの量的制限を科した従量制の有料ゴミ出しシステムがある。（例えば、特許文献１参照）【０００３】  以下、従来の家庭ゴミ出しについて説明する。一般的には週に２回程度、決められた時間帯、場所にゴミ袋を出しておけば行政が無料で回収している。又有料ゴミ出しについては、ゴミ出し用の所定のゴミ搬入許可データが入力されたこと、又は所定のゴミ出し料金が支払われたことを確認後、始めてゴミ搬入口ドアーを開けてゴミ搬入口を一時的に開放するようにアクセスコントロールされた一定の閉空間を有するゴミ箱がある。さらにゴミ出しの量的制限を科した従量制の有料ゴミ出しシステムについては、一定容量を持ったバスケットがゴミ計量部として使われ、バスケット入口にはゴミ搬入口ドアーとして機能する櫛状の回転子を設け、ゴミを搬入する時は、ゴミを出す者がゴミ出し用の利用カードを読み込ませた後に回転子が回転軸を中心に回転し、バスケット内へゴミ袋を搬入できる位置まで回転させ、ゴミ袋を搬入後、回転子回転開始ボタンを押下し、回転子を回転させると格子窓、そしてゴミ搬入口ドアーとした位置を通過しながら回転し、バスケット内のゴミ袋をゴミ箱本体へ押し入れる有料ゴミ出しシステムがある。【０００４】
【特許文献１】  特許公開２００１−３１５９０４号公報
【発明の開示】
【発明が解決しようとする課題】
【０００５】  以上に述べた従来の家庭ゴミ出しでは、たとえ行政が無料でゴミを回収しているとはいえ、多様化する現代社会で生活する人達にとって、決められた日、時間帯にゴミ出しが困難となる場合もあり、週に２回程度のゴミ回収では家の中に置くゴミの量が必然的に増えてしまう傾向にあった。又有料ゴミ出しでは、専用ゴミ出しカード等を携帯する特定の人、又は所定のゴミ出し料金が支払われたことを確認後、始めてゴミ搬入口ドアーを開放するものであった。さらにゴミ出しの量的制限を科した従量制の有料ゴミ出しシステムについては、ゴミ搬入口ドアーとして機能する櫛状の回転子が一連の作業に２回転を必要とするものであった。【０００６】  そこで、本出願人は、これらの問題を解決するために、開口部を設けた回転カバーの内側で回転中核を介した二つの回転アームと、二つの前記回転アームとの間に構成する２ヵ所の中空体からなる、回転式２４時間有料ゴミ受け入れ装置（特願２００４−２８５４１９）を先に出願した。以下、動作を説明する。前記回転カバーに設けた開口部と一つの前記回転アームの外向きの壁面が一致して止まる時は閉じた待機状態になり、所定の料金など確認後、前記回転アームと前記中空体が９０度回転し、前記回転カバーに設けた開口部と１ヵ所の前記中空体が一致して止まるので開いた状態になり、ゴミ袋を投入後、レバーを手動で回転させると前記回転アームと前記中空体は９０度回転し、１ヵ所の前記中空体に投入したゴミ袋は自然落下し、前記回転カバーに設けた開口部と一つの前記回転アームの外向きの壁面が一致して止まるので再び閉じた待機状態になるように形成した。【０００７】  本発明は、上記出願を改良したもので、その目的は、前記中空体にゴミ袋を投入時、早めに前記レバーを回転させてしまうと、動き出す前記回転アームと前記回転カバーの開口部との間に手を挟まれるという危険を察知したため、安全を考慮してセンサー、又は蓋を取り付ける等したところ問題は解決した。前記回転カバーの開口部に前記蓋を取り付けた場合、前記回転アームでも良いが、新たに回転羽根を採用することも可能になり、前記回転羽根が４枚の場合一連の作業に要する回転は９０度回転して終了することから回転効率が高いことを立証した。さらに前記回転羽根を４枚の他に３枚又は２枚も可能になり、使用目的に応じた選択肢が増えた。【０００８】  本発明は、このように従来有していた問題を解決しようとするものであり、前記中空体に収まる小さなゴミ袋を有料で受け入れることから、ゴミにする量を減らそうという意識が強く働き、その結果不用品の分別化が促進され、最終的にゴミの減量化を実現できるように、安全を考慮して前記回転カバーの開口部に蓋を取り付け、前記蓋にはロック機能とスイッチ機能を持たせ、前記回転カバーの内側で４枚の前記回転羽根が回転し、同時に４ヵ所の前記中空体も回転し、１ヵ所の前記中空体に投入したゴミ袋を回転と同時に自然落下させながら収納するという、２４時間いつでもゴミ出しができる安全性と利便性の高い有料ゴミ受け入れ装置を実現することを目的とするものである。
【課題を解決するための手段】
【０００９】  そして、本発明は上記目的を達成するために、コイン投入口などの支払い確認システムと駆動モータを備えた台座と、その前記台座の上部に蓋付きの開口部を設けた回転カバーを設置し、前記回転力バーの内側は回転中核を介した４枚の回転羽根と前記回転羽根との間に構成する４ヵ所の中空体からなり、前記蓋にはロック機能とスイッチ機能を持たせ、所定のコイン投入後又は支払い確認後、前記蓋のロック機能が解除され手動で前記蓋を開け、前記蓋付きの開口部と一致する１ヵ所の前記中空体にゴミ袋を投入し、前記蓋を手動で閉めると前記蓋のロック機能は再び施錠され、同時に前記駆動モータに一定時間スイッチが入り、前記駆動モータの駆動力で前記回転中核を介して４枚の前記回転羽根は９０度回転し、同時に４ヵ所の前記中空体も９０度回転し、１ヵ所の前記中空体に投入したゴミ袋を回転と同時に自然落下させながら直接収納庫内に収納する、又はダストシューター等を通過させ収納するように形成したものである。【００１０】  前記回転羽根においては、４枚の他に３枚又は２枚も可能であり、前記回転羽根が４枚の場合の前記回転羽根の関係は９０度の角度にあり、一連の作業に要する回転は９０度回転し、前記回転羽根が３枚の場合の前記回転羽根の関係は１２０度の角度にあり、一連の作業に要する回転は１２０度回転し、前記回転羽根が２枚の場合の前記回転羽根の関係は１８０度の角度にあり、一連の作業に要する回転は１８０度回転するように形成したものである。【００１１】  それぞれの前記回転羽根においては、凹面と凸面を有し、前記凹面と前記凸面の関係は表裏にあり、前記凹面は前記中空体にゴミ袋を投入する受け皿の役目を持ち、ゴミ袋の安定を保つように形成したものである。【００１２】  それぞれの前記回転羽根の形状においては、半円形又は四角形があり、半円形の前記回転羽根が回転する軌道は球体を描き、四角形の前記回転羽根が回転する軌道は横に倒した円筒体を描くことを特徴とするものである。【００１３】  それぞれの前記回転羽根との間に構成する前記中空体においては、前記回転羽根と９０度の角度に仕切り壁を任意に設置可能であり、状況に応じて前記仕切り壁を左右に移設することで、前記中空体に受け入れるゴミの容量を変化させることができるものである。【００１４】  上記課題解決手段による作用は次の通りである。すなわち、前記回転カバーの開口部に取り付けた前記蓋にロック機能とスイッチ機能を持たせ、有料で１ヵ所の前記中空体に受け入れるゴミ袋を、前記回転カバーの内側で４枚の前記回転羽根と４ヵ所の前記中空体が回転と同時に自然落下させながら収納することから、２４時間いつでもゴミ出しができる安全性と利便性を高められる。【００１５】  前記回転羽根においては、４枚の他に３枚又は２枚も可能であり、使用目的に応じた選択ができ、前記回転羽根の関係はそれぞれ９０度、１２０度、１８０度の角度にあることから、一連の作業に要する回転はそれぞれ９０度回転し、１２０度回転し、１８０度回転して終了する。【００１６】  それぞれの前記回転羽根においては、凹面と凸面を有し、前記凹面と前記凸面の関係は表裏にあり、前記凹面はゴミ袋の受け皿の役目を持ち、ゴミ袋の安定を保つこと��ら、落ちこぼれを防止する。【００１７】  また、それぞれの前記回転羽根の形状においては、半円形又は四角形があり、回転する軌道は半円形の場合球体を描き、四角形の場合横に倒した円筒体を描くことを特徴としていることから、それぞれに合う回転カバーを選択できる。【００１８】  また、それぞれの前記回転羽根との間に構成する前記中空体においては、仕切り壁を任意に設置可能であり、前記中空体に受け入れるゴミの容量を変化させ、前記中空体に収まる小さなゴミ袋を有料で受け入れることから、ゴミにする量を減らそうという意識が強く働き、その結果不用品の分別化が促進され、最終的にゴミの減量化を実現するという効果を発揮する。
【発明の効果】
【００１９】  上述したように本発明の回転式２４時間有料ゴミ受け入れ装置は、有料で１ヵ所の前記中空体に受け入れるゴミ袋を、前記回転カバーの内側で４枚の前記回転羽根と４ヵ所の前記中空体が回転と同時に自然落下させながら収納することから、２４時間いつでもゴミ出しができる安全性と利便性を高める有料ゴミ受け入れ装置を提供できる。【００２０】  前記回転羽根においては、４枚の他に３枚又は２枚も可能であり、一連の作業に要する回転はそれぞれ９０度回転し、１２０度回転し、１８０度回転して終了する。【００２１】  それぞれの前記回転羽根においては、凹面と凸面を有し、前記凹面はゴミ袋の安定を保つことから、落ちこぼれを防止する効果があり衛生的である。【００２２】  また、それぞれの前記回転羽根の形状においては、半円形又は四角形があり、回転する軌道に合う回転カバーを選択できる。【００２３】  また、前記中空体に収まる小さなゴミ袋を有料で受け入れることから、ゴミにする量を減らそうという意識が強く働き、その結果不用品の分別化が促進され、最終的にゴミの減量化を実現するという効果を発揮するものである。
【発明を実施するための最良の形態】
【００２４】  以下、本発明の実施の形態を図１〜図６に基づいて説明する。【００２５】  図１，図３においては、１は支払い確認システム等のコイン投入口で、駆動モータ２と共に台座１４に固着し、その前記台座１４の上部に蓋１１付きの開口部１０を設けた回転カバー９を設置し、前記回転カバー９の内側は回転中核３を介した４枚の回転羽根４と前記回転羽根４との間に構成する４ヵ所の中空体８からなり、前記蓋１１にはロック機能とスイッチ機能をもたせ、前記回転羽根４は凹面６と凸面７を有し、前記凹面６と前記凸面７の関係は表裏にあり、前記中空体８の中の前記凹面６に投入したゴミ袋を回転と同時に自然落下させながら直接収納庫１２（図１）内に収納する、又はダストシューター１３（図３）等を通過させ収納するものである。【００２６】  図５、図６においては、前記回転羽根４は４枚の他に３枚又は２枚も可能であり、前記回転羽根４が４枚の場合の前記回転羽根４の関係は９０度の角度にあり、前記回転羽根４が３枚の場合の前記回転羽根４の関係は１２０度の角度にあり、前記回転羽根４が２枚の場合の前記回転羽根４の関係は１８０度の角度にある。又それぞれの前記回転羽根４の形状は、半円形（図５）又は四角形（図６）がある。さらに前記回転羽根４との間に構成する前記中空体８においては、前記回転羽根４と９０度の角度に仕切り壁５を任意に設置可能である。【００２７】  図２においては、図１の前記回転羽根４の形状が、半円形又は四角形を使用した場合の回転カバー９を示し、ゴミ袋を直接収納庫１２内に収納する外観斜視図である。【００２８】  図４においては、図３の前記回転羽根４の形状が、半円形又は四角形を使用した場合の回転カバー９を示し、ゴミ袋をダストシューター１３等を通過させ収納する外観斜視図である。【００２９】  以下、上記構成の動作を説明する。普段は回転カバー９の開口部１０に取り付けた蓋１１がロックされているが、コイン投入口１に所定のコイン投入後又は支払い確認後、前記蓋１１のロック機能が解除され手動で前記蓋１１を開け、前記蓋１１付きの前記開口部１０と一致する１ヵ所の中空体８の中の凹面６にゴミ袋を投入し、前記蓋１１を手動で閉めると前記蓋１１のロック機能は再び施錠され、同時に駆動モータ２に一定時間スイッチが入り、前記駆動モータ２の駆動力で回転中核３を介して４枚の回転羽根４は９０度回転し、同時に４ヵ所の前記中空体８も９０度回転し、１ヵ所の前記中空体８の中の前記凹面６に投入したゴミ袋を回転と同時に自然落下させながら直接収納庫１２（図１）内に収納する、又はダストシューター１３（図３）等を通過させ収納するものである。【００３０】  前記回転羽根４は４枚の他に３枚又は２枚も可能であり、前記回転羽根４が４枚の場合の一連の作業に要する回転は９０度回転し、前記回転羽根４が３枚の場合の一連の作業に要する回転は１２０度回転し、前記回転羽根４が２枚の場合の一連の作業に要する回転は１８０度回転して終了する。又それぞれの前記回転羽根４の形状が半円形（図６）の場合回転する軌道は球体を描き、四角形（図６）の場合回転する軌道は横に倒した円筒体を描く、さらに仕切り壁５を任意に設置可能であり、状況に応じて前記仕切り壁５を左右に���設することで、前記中空体８の中の前記凹面６に受け入れるゴミの容量を変化させ、小さなゴミ袋を有料で受け入れることから、ゴミの量を減らそうという意識が強く働き、その結果不用品の分別化が促進され、最終的にゴミの減量化を実現するという効果を発揮する。以上のように、本実施形態によれば２４時間いつでもゴミ出しができる安全性と利便性を高める効果が得られるものである。
【図面の簡単な説明】
【００３１】
【図１】  本発明の実施形態を示すゴミ受け入れ装置の断面図
【図２】  同ゴミ受け入れ装置の外観斜視図
【図３】  同ゴミ受け入れ装置の断面図
【図４】  同ゴミ受け入れ装置の外観斜視図
【図５】  同半円形の回転羽根に仕切り壁を設置した斜視図
【図６】  同四角形の回転羽根に仕切り壁を設置した斜視図
【符号の説明】
【００３２】  １  コイン投入口
２  駆動モータ
３  回転中核
４  回転羽根
５  仕切り壁
６  凹面
７  凸面
８  中空体
９  回転カバー
１０  開口部
１１  蓋
１２  収納庫
１３  ダストシューター
１４  台座
【図１】
2007217181.tif 000003
【図２】
2007217181.tif 000004
【図３】
2007217181.tif 000005
【図４】
2007217181.tif 000006
【図５】
2007217181.tif 000007
【図６】
2007217181.tif 000008